(57)【要約】【課題】空気袋の膨縮による持ち上げ高さを高くして太腿、足部等の下肢のさすり感を向上させることができるエアー式寝具を提供する。【解決手段】マットレス１、布団等の敷き寝具Ａの仰臥した人の太腿、足部等の下肢に対応する位置で敷き寝具Ａの上面上に細長い空気袋２を複数個連続的に敷設する。上記複数個の空気袋２を適宜膨縮させて太腿、足部等の下肢のさすりを行わせる機能を持たせる。【選択図】        図１
2004222743.tif 000002
【特許請求の範囲】
【請求項１】
マットレス、布団等の敷き寝具の仰臥した人の太腿、足部等の下肢に対応する位置で敷き寝具の上面上に細長い空気袋を複数個連続的に敷設し、上記複数個の空気袋を適宜膨縮させて太腿、足部等の下肢のさすりを行わせる機能を持たせたことを特徴とするエアー式寝具。
【請求項２】
複数個の空気袋の何れか１つに空気を出し入れして空気袋を膨縮させ、且つ隣接する空気袋を順に膨縮させることによりさすり機能を実現させるようにしたことを特徴とする請求項１記載のエアー式寝具。
【請求項３】
下肢のさすりを行う空気袋の下方にこの空気袋の高さを変化させることができる別の空気袋を併設したことを特徴とする請求項１または請求項２記載のエアー式寝具。
【請求項４】
さすりを行う空気袋は高さ調整用の空気袋に少なくとも２つ以上連続的に敷設したことを特徴とする請求項３記載のエアー式寝具。
【請求項５】
複数個のさすり用の空気袋は一部を連結して一体にしてあることを特徴とする請求項４記載のエアー寝具。
【請求項６】
複数個のさすり用の空気袋のうち少なくとも１つ以上は他のものより大きくして下肢の形状にフィットするようにしたことを特徴とする請求項１乃至請求項５のいずれかに記載のエアー式寝具。
【発明の詳細な説明】
【０００１】
【発明の属する技術分野】
本発明は、一般家庭や医療施設等で使用されるエアー式寝具に関し、詳しくはマットレス、布団等の敷き寝具に太腿、足部等のさすり機能を持たせたものに関するものである。
【０００２】
【従来の技術】
通常のエアー式のマットレスは、図８に示すように発泡ウレタンのような材料にて形成せる枠状のマットレス本体ａに複数の空気袋ｂを連続的に並設して内蔵させてあり、人間の臥せている状態に応じて空気袋ｂを膨縮させて人体に対応させるようにしてある（例えば、特許文献１参照）。
【０００３】
【特許文献１】
特開平１１−３４２０４９号公報
【０００４】
【発明が解決しようとする課題】
ところが、上記従来例のように複数の空気袋を連続して並設しているものでは空気袋が発泡ウレタンのような材料にて形成せるマットレス本体に埋め込まれている場合が多く、空気袋の膨縮による持ち上げ高さが低くなり、さすり感が出にくいという問題がある。
【０００５】
本発明は上記の点に鑑みてなされたものであり、空気袋の膨縮による持ち上げ高さを高くして太腿，足部等の下肢のさすり感を向上させることができるエアー式寝具を提供することを課題とするものである。
【０００６】
【課題を解決するための手段】
上記課題を解決するための本発明のエアー式寝具は、マットレス、布団等の敷き寝具の仰臥した人の太腿、足部等の下肢に対応する位置で敷き寝具の上面上に細長い空気袋を複数個連続的に敷設し、上記複数個の空気袋を適宜膨縮させて太腿、足部等の下肢のさすりを行わせる機能を持たせたことを特徴とする。敷き寝具の上面上で且つ下肢に対応する部分に空気袋を設けてこの空気袋の膨縮にて下肢のさすりを行わせるようにしたことにより、空気袋の膨縮による持ち上げ高さが高くなり、確実にさすり感を出すことができる。
【０００７】
また複数個の空気袋の何れか１つに空気を出し入れして空気袋を膨縮させ、且つ隣接する空気袋を順に膨縮させることによりさすり機能を実現させるようにしたことを特徴とすることも好ましい。この場合、複数の空気袋を１つづつ順に膨縮させて効果的にさすり感を出すことができる。
【０００８】
また下肢のさすりを行う空気袋の下方にこの空気袋の高さを変化させることができる別の空気袋を併設したことを特徴とすることも好ましい。さすりを行う空気袋の高さを調整できて一層適切な高さでさすりができる。
【０００９】
またさすりを行う空気袋は高さ調整用の空気袋に少なくとも２つ以上連続的に敷設したことを特徴とすることも好ましい。
【００１０】
また複数個のさすり用の空気袋は一部を連結して一体にしてあることを特徴とすることも好ましい。この場合、複数個のさすり用の空気袋を連結して一体にすることより高さ調整用の空気袋の上に安定よく載せて固定でき、高さ調整用の空気袋からさすり用の空気袋がずり落ちる弊害をなくすことができる。
【００１１】
また複数個のさすり用の空気袋のうち少なくとも１つ以上は他のものより大きくして下肢の形状にフィットするようにしたことを特徴とすることも好ましい。この場合、人体の下肢の形状に空気袋の大きさを合わせて人体の下肢に空気袋をフィットさせることができる。
【００１２】
【発明の実施の形態】
先ず、図１、図２に示す実施の形態の例から述べる。敷き寝具Ａとしてはマットレス１や布団があるが、本例の場合、マットレスの例により説明する。マットレス１は偏平な直方体状に発泡ウレタンのような弾性材料にて形成されており、マットレス１に仰臥したときに人体の太腿５ａ、足部５ｂ等の下肢５に対応する部分でマットレス１の上面上にさすり用の空気袋２を複数個設けてある。この空気袋２はマットレス１の短手方向に細長いものであり、マットレス１の長手方向に連続するように複数個並設してある。本例の場合、さすり用の空気袋２には足部さすり用の空気袋２ａと太腿さすり用の空気袋２ｂとがある。
【００１３】
マットレス１の隅部には空気を送るためのポンプや空気の供給や排出を開閉する電磁弁、制御回路等を内装した駆動制御部３を装着してあり、駆動制御部３にて空気袋２を膨縮動作させることができるようになっている。またマットレスに空気袋２や駆動制御部３を取り付けた状態で全体が表皮カバー４にて覆ってある。
【００１４】
上記のように構成せるエアー寝具はマットレス１の上に仰臥して睡眠するとき等に使用するものであり、複数の空気袋２のうち何れかの１の空気袋２を膨縮させ且つ隣接する空気袋２が図２の矢印Ｂに示すように順に膨縮するように空気袋２が駆動され、これにより人体の下肢５のさすりを行うことができる。このようにさすりを行うことにより十分に持ち上げ高さを設けて効果的にさすりを行うことができる。このとき、太腿５ａと足部５ｂとの間の膝部５ｃの部分の窪みが大きいために空気袋２の大きさを大きくすると、膝部５ｃにもぴったりフィットしてさすり効果が同一になる。
【００１５】
次に図３、図４に示す実施の形態の例について述べる。本例も上記例と基本的に同じであり、異なる点だけを主に述べる。上記例ではマットレス１の上面上に直接さすり用の空気袋２を設けたが、本例の場合、マットレス１の上面上に高さ調整用の空気袋６を介してさすり用の空気袋２を設けてある。高さ調整用の空気袋６も駆動制御部３で膨縮動作させられ、高さ調整用の空気袋６が適宜の厚さになるように高さ調整されてさすり用の空気袋２の高さを任意に変えることができるようになっている。この場合も、複数の空気袋２のうち何れかの１の空気袋２を膨縮させ且つ隣接する空気袋２が図４の矢印Ｂに示すように順に膨縮するように空気袋２が駆動され、これにより人体の下肢５のさすりを行うことができるが、高さ調整用の空気袋６にてより適切な高さでさすり動作を行わせることができて効果的にさすりを行うことができる。なお、この際、さすり用の空気袋２は高さ調整用の空気袋６の上に少なくとも２個以上の複数個敷設されている必要がある。
【００１６】
次に図５、図６に示す実施の形態の例について述べる。図３、図４の例と基本的に同じであり、異なる点だけを主に述べる。高さ調整用の空気袋６の上に複数個のさすり用の空気袋２を載設してあるが、本例の場合、複数個のさすり用の空気袋２は一部を連結して一体にしてある。図５で符号７に示す部分が隣り合うさすり用の空気袋２が繋がっている部分であり、８はスリット部であり、９は空気の出入り口である。複数個のさすり用の空気袋２が連結されていない状態で高さ調整用の空気袋６の載設されると、さすり用の空気袋２が膨張したとき図６（ｂ）のようにさすり用の空気袋２が高さ調整用の空気袋２から脱落するおそれがあるが、複数のさすり用の空気袋２が連結されていると、図６（ａ）のようにさすり用の空気袋２が脱落するのを防止することができる。
【００１７】
次に図７に示す実施の形態の例について述べる。本例も図３、図４の例を基本的に同じであり、異なる点だけを主に述べる。高さ調整用の空気袋６の上に載設する複数個の空気袋２のうち少なくとも１つの以上の空気袋２を他の空気袋２より太さを大きくしてある。本例の場合、下肢５の膝部５ｃの窪みに対応する空気袋２を他の部分の空気袋２より大きくしてある。このようにしてあると、さすり用の空気袋２が膨張したとき下肢５の形状にフィットしてさすりの効果を向上できる。
【００１８】
【発明の効果】
本発明の請求項１の発明は、マットレス、布団等の敷き寝具の仰臥した人の太腿、足部等の下肢に対応する位置で敷き寝具の上面上に細長い空気袋を複数個連続的に敷設し、上記複数個の空気袋を適宜膨縮させて太腿、足部等の下肢のさすりを行わせる機能を持たせたので、敷き寝具の上面上で且つ下肢に対応する部分に空気袋を設けてこの空気袋の膨縮にて下肢のさすりを行わせることとなり、空気袋の膨縮による持ち上げ高さが高くなり、確実にさすり感を出すことができるものである。
【００１９】
また本発明の請求項２の発明は、請求項１において、複数個の空気袋の何れか１つに空気を出し入れして空気袋を膨縮させ、且つ隣接する空気袋を順に膨縮させることによりさすり機能を実現させるようにしたので、複数の空気袋を１つづつ順に膨縮させて効果的にさすり感を出すことができるものである。
【００２０】
また本発明の請求項３の発明は、請求項１または請求項２において、下肢のさすりを行う空気袋の下方にこの空気袋の高さを変化させることができる別の空気袋を併設したので、さすりを行う空気袋の高さを調整できて一層適切な高さでさすりができるものである。
【００２１】
また本発明の請求項５の発明は、請求項３または請求項４において、複数個のさすり用の空気袋は一部を連結して一体にしてあるので、高さ調整用の空気袋の上にさすり用の空気袋を安定よく載せて固定でき、高さ調整用の空気袋からさすり用の空気袋がずり落ちる弊害をなくすことができるものである。
【００２２】
また本発明の請求項６の発明は、請求項１乃至請求項５のいずれかにおいて、複数個のさすり用の空気袋のうち少なくとも１つ以上は他のものより大きくして下肢の形状にフィットするようにしたので、人体の下肢の形状に空気袋の大きさを合わせて人体の下肢に空気袋をフィットさせることができて一層効果的にさすり動作をさせることができるものである。
【図面の簡単な説明】
【図１】本発明の実施の形態の一例の斜視図である。
【図２】同上の動作を説明する説明図である。
【図３】同上の他の例の斜視図である。
【図４】同上の動作を説明する説明図である。
【図５】同上の他の例の平面図である。
【図６】（ａ）（ｂ）は同上の動作を説明する説明図である。
【図７】同上の他の例を説明する説明図である。
【図８】従来例を示す斜視図である。
【符号の説明】
Ａ  敷き寝具
１  マットレス
２  さすり用の空気袋
６  高さ調整用の空気袋
【図１】
2004222743.tif 000003
【図２】
2004222743.tif 000004
【図３】
2004222743.tif 000005
【図４】
2004222743.tif 000006
【図５】
2004222743.tif 000007
【図６】
2004222743.tif 000008
【図７】
2004222743.tif 000009
【図８】
2004222743.tif 000010